(57)【特許請求の範囲】
【請求項１】
蒸気使用機器で発生した復水を一旦溜め置く復水タンクと、
前記復水タンク内の第１復水流入管路を介して前記復水タンクに接続した第１復水圧送手段と、
前記復水タンク内の第２復水流入管路を介して前記復水タンクに接続した第２復水圧送手段とを含み、
前記第１復水圧送手段からの圧送復水の一部を第１復水回収管から復水回収先へ回収し、前記第２復水圧送手段からの圧送復水の一部を第２復水回収管から復水回収先へ回収するものにおいて、
前記第２復水流入管路の上端は、第１復水流入管路の上端よりも上方で開口しており、
前記第１復水圧送手段の前記第１復水回収管に復水中の異物を捕捉する第１フィルターを取り付けるとともに、前記第２復水圧送手段の前記第２復水回収管に復水中の異物を捕捉する第２フィルターを取り付けて、
前記第１フィルターが詰まることにより前記復水タンクの液位が上昇して、復水が第２復水流入管路の開口から前記第２復水圧送手段に流入した後、前記第２復水圧送手段が作動することで、前記第２フィルターを用いて復水中の異物を捕捉することを特徴とする復水回収装置。
【発明の詳細な説明】
【技術分野】
【０００１】
本発明は、蒸気使用機器で発生した蒸気の凝縮水としての復水を、ボイラー等の復水回収先へ回収する復水回収装置に関する。
【背景技術】
【０００２】
従来の復水回収装置は、蒸気使用機器の二次側すなわち出口側に設けたスチームトラップと復水流入管と、放圧管に取り付けた制御弁と、復水流出管に取り付けた復水ポンプとで構成したもので、放圧管に取り付けた制御弁で、スチームトラップから排出された復水の再蒸発蒸気の一部を系外へ排出することによって、スチームトラップの必要圧力差を維持しつつ、復水ポンプで高温復水を所定箇所へ回収することができるものである。
【０００３】
上記従来の復水回収装置では、復水流出管から復水回収先へ回収される復水に、ゴミや錆やスケール等の異物が混入していると、ボイラー等の復水回収先へ復水を直接に回収することができなくなってしまう問題があった。
【特許文献１】特公昭６０−４２８４６号公報
【発明の開示】
【発明が解決しようとする課題】
【０００４】
解決しようとする課題は、復水に混入している錆などの異物を確実に捕捉して、ボイラー等の復水回収先へ復水を直接に回収することのできる復水回収装置を得ることである。
【課題を解決するための手段】
【０００５】
本発明は、蒸気使用機器で発生した復水を一旦溜め置く復水タンクと、当該復水タンクに接続した復水圧送手段とからなり、復水圧送手段からの圧送復水の一部を復水回収管から復水回収先へ回収するものにおいて、復水圧送手段を複数台配置して、当該複数台の復水圧送手段の復水回収管にそれぞれ復水中の異物を捕捉するフィルター部材を取り付けたものである。
【発明の効果】
【０００６】
本発明は、復水タンクと接続した複数台の復水圧送手段の復水回収管にそれぞれフィルター部材を取り付けたことによって、このフィルター部材で復水に混入している錆などの異物を捕捉することで除去して、異物の除去された復水を、ボイラー等の復水回収先へ直接に回収することができる。
【発明を実施するための最良の形態】
【０００７】
本発明の復水回収管に取り付けるフィルター部材としては、復水に混入している異物に応じて、多数の細孔を貫通させたパンチングプレートや、細い金属繊維を積層させた金属積層フィルター、あるいは、多数の貫通細孔を設けた焼結金属等従来公知のフィルター部材を用いることができる。
【実施例】
【０００８】
図１において、復水供給管１と、復水タンク２と、復水圧送手段３，４、及び、復水回収管５，６に取り付けたフィルター部材７，８とで復水回収装置を構成する。
【０００９】
復水供給管１は、左端部を図示しない蒸気使用機器などの高温復水発生源と接続し、右端部を復水タンク２と接続する。復水タンク２は、密閉の円筒状で、内部に復水圧送手段３，４の復水流入口９，１０と接続した復水流入管路１１，１２を鉛直状に配置する。復水流入管路１１，１２の上端は開口することで、復水タンク２内に溜まった復水が、この上端開口から復水流入口９，１０を経て、復水圧送手段３，４内へ流下するものである。
【００１０】
復水圧送手段３，４には、それぞれ復水流入口９，１０と復水流出口１３，１４、及び、高圧操作流体導入口１５，１６と高圧操作流体排出口１７，１８を配置する。復水流入管路１１，１２には逆止弁１９，２０を取り付ける。逆止弁１９，２０は、復水タンク２から復水圧送手段３，４側への復水の流下は許容するが、反対方向への復水の通過は阻止する機能を有するものである。
【００１１】
復水回収管５，６にも逆止弁２１，２２を取り付ける。これらの逆止弁２１，２２は、復水圧送手段３，４からフィルター部材７，８側への復水の流下を許容し、反対方向の流れは阻止する機能を有する。
【００１２】
高圧操作流体導入口１５，１６には、それぞれ、高圧蒸気供給管２３，２４を接続すると共に、高圧操作流体排出口１７，１８には、高圧蒸気排出管２５，２６を接続する。
【００１３】
復水圧送手段３，４は、内部に配置した図示しないフロートが下方部に位置する場合に、高圧操作流体導入口１５，１６を閉口し、一方、高圧操作流体排出口１７，１８を開口して、復水流入管路１１，１２から復水を逆止弁１９，２０と復水流入口９，１０を通して復水圧送手段３，４内に流下させる。
【００１４】
復水タンク２内の復水流入管路１１は、管路１２よりも上方で上端部を開口することで、復水タンク２内の復水は、優先的に復水流入管路１２を通って復水圧送手段４内へ流入する。
【００１５】
復水圧送手段４内に優先的に復水が溜まって図示しないフロートが所定上方部に位置すると、高圧操作流体排出口１８を閉口し、一方、高圧操作流体導入口１６を開口して、高圧蒸気供給管２４から高圧圧送用蒸気を内部に流入させることにより、内部に溜まった復水を復水流出口１４と逆止弁２２とフィルター部材８と復水回収管６を通してボイラー等の復水回収先へ圧送する。
【００１６】
復水流出口１４から排出される復水は、フィルター部材８を通過することで、復水に混入している錆などの異物が除去されて復水回収先へ圧送される。
【００１７】
復水が圧送されて復水圧送手段４内の液位が低下すると、再度、高圧操作流体導入口１６を閉口し、高圧操作流体排出口１８を開口することにより、復水流入口１０から復水を内部へ流下させる。このような作動サイクルを繰り返すことによって復水を回収する。
【００１８】
復水圧送手段４の作動に伴いフィルター部材８内の図示しないフィルターが目詰まり状態になると、復水圧送手段４からは復水を排出することができなくなり、復水タンク２内の液位が上昇して、復水流入管路１１から復水圧送手段３内へ復水が流下し、上述した復水圧送手段４と同様の作動サイクルを繰り返すことによって復水を回収する。復水圧送手段３から排出される復水もフィルター部材７を通過することで異物が除去される。また、復水圧送手段３から復水を回収している間に、目詰まりした復水圧送手段４のフィルター部材８を取り替えたり、清掃したりすることで、再度、復水圧送手段４から復水を回収することができる。
【図面の簡単な説明】
【００１９】
【図１】本発明に係る復水回収装置の実施例を示す構成図。
【符号の説明】
【００２０】
１  復水供給管
２  復水タンク
３，４
復水圧送手段
５，６
復水回収管
７，８  フィルター部材
９，１０  復水流入口
１１，１２  復水流入管路
１３，１４  復水流出口
１５，１６  高圧操作流体導入口
１７，１８  高圧操作流体排出口
２３，２４  高圧蒸気供給管
【図１】
0005457783.tif 000002